(57)【要約】【課題】  皺の発生を抑制してシートを美しく張設することの可能な照明装置及び照明装置における透光シートの張設方法並びにこれに用いるスペーサーを提供すること。【解決手段】溝１３は、拡散シート４の張られた横方向に向かって形成されている。溝１３内には、拡散シート４側に向かってパッキン２０の先端部２２が嵌る凹部１３ｂを形成してある。パッキン２０は断面略Ｌ字形状を呈し、溝１３に押し込む押込部２１と溝１３近傍の内側面１５に当接する当接部２３とからなる。【選択図】    図３
2011054493.tif 000002
【特許請求の範囲】
【請求項１】
照明用光源と、枠体と、この枠体に張られて前記光源を被う拡散シートと、前記拡散シートと前記光源との間に張られた透光シートと、この透光シートを枠体に固定するパッキンとを備え、このパッキンを受け入れる溝を前記枠体に形成した照明装置であって、
前記溝は、前記拡散シートの張られた横方向に向かって形成されている照明装置。
【請求項２】
前記溝内には、前記拡散シート側に向かって前記パッキンの先端部が嵌る凹部を形成してある請求項１記載の照明装置。
【請求項３】
前記パッキンは断面略Ｌ字形状を呈し、前記溝に押し込む押込部と前記溝近傍の内側面に当接する当接部とからなる請求項１又は２記載の照明装置。
【請求項４】
請求項１〜３のいずれかに記載の照明装置における透光シートの張設方法であって、カットしたシートの各辺に横方向から順次パッキンを押し込む照明装置における透光シートの張設方法。
【請求項５】
前記シートの４辺にスペーサーを取り付け、このスペーサーを前記枠体の少なくとも隅に設置し、各隅間に前記パッキンを押し込む請求項４記載の照明装置における透光シートの張設方法。
【請求項６】
請求項５記載の照明装置における透光シートの張設方法に用いるスペーサーであって、
前記シートが取り付けられると共に前記溝に挿入する挿入部と、この挿入部に立設され前記溝近傍の内側面に取り付けられる取付部とを有し、前記挿入部は、平面視略Ｌ字形状に形成されているスペーサー。
【発明の詳細な説明】
【技術分野】
【０００１】
本発明は、照明装置及び照明装置における透光シートの張設方法並びにこれに用いるスペーサーに関する。さらに詳しくは、照明用光源と、枠体と、この枠体に張られて前記光源を被う拡散シートと、前記拡散シートと前記光源との間に張られた透光シートと、この透光シートを枠体に固定するパッキンとを備え、このパッキンを受け入れる溝を前記枠体に形成した照明装置及び照明装置における透光シートの張設方法並びにこれに用いるスペーサーに関する。
【背景技術】
【０００２】
上述の如き照明装置として、例えば特許文献１に記載の如きものが知られている。この照明装置のフレームには鉛直方向に溝部が形成されており、透光性シートの端部を溝部上に載せ、その上から弾性体をシートと共に溝部に嵌め入れることで透光性シートを張設している。
【０００３】
ところで、同文献の照明装置は、照明カバーを固定枠に開閉可能に取り付け、照明カバーが閉じた状態で先端が弾性体に当接する押さえ部材を固定枠に設けている。これにより、押さえ部材の先端が弾性体に当接して押さえるので、シートの撓みを防止することができる。しかし、弾性体の挿入時において、弾性体が溝部との摩擦により捩れてしまう。この捩れ及び弾性体の押し込み方向と透光性シートのテンション方向が異なるので、透光性シートに皺が生じやすく、テンションを均一に付与して透光性シートを美しく張設することが困難な場合があった。
【先行技術文献】
【特許文献】
【０００４】
【特許文献１】特開２００９−２１１７８号公報
【発明の概要】
【発明が解決しようとする課題】
【０００５】
かかる従来の実情に鑑みて、本発明は、皺の発生を抑制してシートを美しく張設することの可能な照明装置及び照明装置における透光シートの張設方法並びにこれに用いるスペーサーを提供することを目的とする。
【課題を解決するための手段】
【０００６】
上記目的を達成するため、本発明に係る照明装置の特徴は、照明用光源と、枠体と、この枠体に張られて前記光源を被う拡散シートと、前記拡散シートと前記光源との間に張られた透光シートと、この透光シートを枠体に固定するパッキンとを備え、このパッキンを受け入れる溝を前記枠体に形成した構成において、前記溝は、前記拡散シートの張られた横方向に向かって形成されていることにある。
【０００７】
上記本発明の構成によれば、パッキンを受け入れる溝が横方向に向かって形成されているので、パッキンの押し込み方向が透光シートのテンション方向と一致し、皺の発生を抑制して透光シートを枠体に固定することができる。しかも、パッキンにより透光シートにテンションをかけながら固定することが可能となる。さらに、溝は横方向に形成されているので、溝しろが照明用光源の光経路を占拠することがなく、拡散シート上への影の投影を防止することができる。なお、本発明においては、上記従来のようにシートの撓みを抑制するために、パッキンを押さえる押さえ部材を設けなくてもよい。
【０００８】
前記溝内には、前記拡散シート側に向かって前記パッキンの先端部が嵌る凹部を形成しても構わない。パッキンの先端部と枠体の凹部との嵌合により、パッキンの横方向へのずれが防止されるので、透光シートのテンションを維持することができる。
【０００９】
また、前記パッキンは断面略Ｌ字形状を呈し、前記溝に押し込む押込部と前記溝近傍の内側面に当接する当接部とから構成するとよい。これにより、当接部を介してパッキンを溝に押し込むことができるので、張設作業を容易に行うことができる。しかも、当接部が枠体の内側面に当接するので、パッキンの押し込み量を溝全体で均一にでき、皺の発生をさらに抑制することができる。また、パッキンの取り外しを当接部を利用して行うことができ、メンテナンスを容易に行うことができる。
【００１０】
また、上記目的を達成するため、本発明に係る照明装置における透光シートの張設方法の特徴は、上記いずれかに記載の照明装置における透光シートの張設方法において、カットしたシートの各辺に横方向から順次パッキンを押し込むことにある。横方向からパッキンを溝に押し込むことで、皺の発生を抑制することができ、パッキンを押し込みながらシートにテンションをかけて張設することが可能となる。
【００１１】
係る場合、前記シートの４辺にスペーサーを取り付け、このスペーサーを前記枠体の少なくとも隅に設置し、各隅間に前記パッキンを押し込むとよい。スペーサーにより枠体にシートを仮止めすることができ、張設作業の作業効率を向上させることができる。しかも、スペーサーを隅に設置することで、シートの対角線方向にテンションをかけた状態で枠体にシートを仮止めすることができ、皺の発生をより抑制することができる。
【００１２】
さらに、上記目的を達成するため、本発明に係る照明装置におけるスペーサーの特徴は、上記記載の照明装置における透光シートの張設方法に用いるスペーサにおいて、前記シートが取り付けられると共に前記溝に挿入する挿入部と、この挿入部に立設され前記溝近傍の内側面に取り付けられる取付部とを有し、前記挿入部は、平面視略Ｌ字形状に形成されていることにある。このスペーサーにより、シートの仮止めをテンションをかけた状態で容易に行うことができ、皺の発生をより抑制することができる。
【発明の効果】
【００１３】
上記本発明に係る照明装置及び照明装置における透光シートの張設方法並びにこれに用いるスペーサーの特徴によれば、皺の発生を抑制してシートを張設でき、且つ影の発生を防止することが可能となった。
【００１４】
本発明の他の目的、構成及び効果については、以下の発明の実施の形態の項から明らかになるであろう。
【図面の簡単な説明】
【００１５】
【図１】本発明に係る照明装置を用いた天井の一例を示す底面図である。
【図２】図１のＡ−Ａ線断面図である。
【図３】（ａ）は枠体の縦断面図、（ｂ）は溝近傍の部分拡大断面図である。
【図４】枠体と照明用光源との位置関係を模式的に示す図である。
【図５】（ａ）は枠体の隅近傍の平面図、（ｂ）は（ａ）のＢ−Ｂ線拡大断面図である。
【図６】本発明に係るスペーサーの斜視図である。
【図７】（ａ）（ｂ）は透光シートの張設手順を説明する図である。
【発明を実施するための形態】
【００１６】
次に、適宜添付図面を参照しながら、本発明をさらに詳しく説明する。
図１，２に示すように、本発明に係る照明装置１は、蛍光灯等の照明用光源２と、拡散シート４及び透光シート５が張設された枠体３とからなる。図２に示すように、照明用光源２は、適宜間隔をおいて天井フレーム１０１に固定されている。枠体３は、グリッドフレーム１０２を介して取付金具１０３や吊り金具１０４により天井フレーム１０１に取り付けられる。この照明装置１は、図１に示すように、例えばマトリックス状に配置され、天井１００を構成する。ここで、拡散シート４及び透光シート５には、例えばガラスクロス等の無機繊維製のシート状物が用いられる。
【００１７】
図１〜３に示すように、枠体３は平面視略矩形に形成されている。この枠体３の下部は、枠体３の内側へ傾斜する傾斜面１１と、傾斜面１１の下端部１１ａから立ち上がる外側面１２とからなる略三角形状を呈している。傾斜面１１の上端部１１ｂは、傾斜面１１より枠体３の内側へ張り出している。傾斜面１１及び外側面１２の上部には、パッキン２０及びスペーサー３０を挿入する溝１３及び拡散シート４を固定する固定部１４が形成されている。拡散シート４は、傾斜面１１の下端部１１ａで外側面１２に沿うように屈曲され、ねじ等の固定手段１１０により固定部１４で固定されることで枠体３に張設される。
【００１８】
図３に示すように、溝１３は、傾斜面１１の上端部１１ｂから拡散シート４の張られた横方向に向かって形成されている。図３（ｂ）に示すように、この溝１３の下面１３ａには、パッキン２０の先端部２３が嵌る凹部１３ｂが略Ｖ字状に形成されている。この枠体３の凹部１３ｂとパッキン２０の先端部２３との嵌合により、パッキン２０の横方向へのずれが抑制され、透光シート５のテンションが維持される。また、溝１３の上面１３ｃの表面は凹凸に形成されており、パッキン２０の横方向へのずれがさらに防止される。
【００１９】
溝１３の開口側上部には、溝上面１３ｃから略垂直に立ち上がる平坦な内側面１５が設けられている。溝１３及び固定部１４の上部には、フリクションアーム１０５等の開閉手段を取り付ける取付溝１６が設けられている。例えば、図２に示すように、枠体３は、取付溝１６を介してフリクションアーム１０５によりグリッドフレーム１０２に開閉可能に取り付けられる。
【００２０】
ここで、図４に示すように、枠体３の傾斜面１１の上下端部１１ａ，１１ｂを結ぶ直線Ｌ０の延長上に照明用光源２を配置した場合、照明用光源２の光経路Ｌ１と直線Ｌ０とは一致する。上述したように、溝１３は横方向に向かって形成されているので、溝１３は直線Ｌ０より枠体３外側に位置する。よって、溝１３が照明用光源２の光を遮ることはなく、枠体３の下端部１１ａ近傍の拡散シート４に影が生じることはない。
【００２１】
一方、同図中の一点鎖線で示す如く、溝１３と同形状の溝１３’を鉛直方向に形成した場合、溝１３’の一部が直線Ｌ０より突出し、照明用光源２と溝１３’の端部とを結ぶ光経路Ｌ２は直線Ｌ０と一致しない。よって、直線Ｌ０から突出する部分が照明用光源２の光を遮り、枠体３の下端部１１ａ近傍の拡散シート４上に影Ｓが生じることとなる。このように、溝１３を拡散シート４の横方向Ｘに向かって形成することで、拡散シート４上に影Ｓが発生することを防止することができる。
【００２２】
パッキン２０は、枠体３の一辺と同程度の長さに形成された例えばゴムからなる柔軟性を有する長尺部材である。このパッキン２０は、図３に示すように、押込部２１と当接部２２とからなる略Ｌ字状を呈する。押込部２１の先端部２３は、円筒形に形成されており、この円筒部分が先の凹部１３ｂに嵌る。当接部２２は、溝１３上部の内側面１５に当接するように平坦に形成されている。
【００２３】
この当接部２２は、先端部２３を溝１３に押し込む際に内側面１５に当接するので、押込部２１の溝１３への押し込み量をパッキン２０の全長にわたって均一にでき、先端部２３を凹部１３ｂに嵌め合わせることができる。このパッキン２０の押し込みにより、透光シート５にテンションが付与されるので、透光シート５に皺を生じさせることなく張設することができる。しかも、パッキン２０の押し込みを当接部２２を介して行うことができるので、張設作業を容易に行うことができる。
【００２４】
図５に示すように、枠体３の隅３ｘ近傍の溝１３には、スペーサー３０が挿入されている。このスペーサー３０は、図５（ａ）及び図６に示すように、挿入部３１と取付部３２からなり、平面視略Ｌ字状を呈する。挿入部３１は平坦に形成されており、その裏面側に透光シート５の角部５ｘが貼着等により取り付けられる。挿入部３１に透光シート５の角部５ｘを取り付けることで、容易に透光シート５を溝１３に配置することができる。
【００２５】
取付部３２は、挿入部３１に立設され内側面１５と対向するように一対設けられている。この取付部３２は平坦に形成されており、内側面１５に接着等により取り付けることで透光シート５を枠体３に仮止めすることができる。枠体３の隅３ｘに仮止めすることで、透光シート５の対角線方向にテンションを掛けることができ、その後のパッキン２０の押し込み時に皺の発生を抑制することができる。
【００２６】
次に、透光シート５の張設方法について説明する。まず、シート状物を適宜の大きさの略方形にカットし透光シート５とし、図７（ａ）に示すように、透光シート５の各角部５ｘにスペーサー３０を貼り付ける。次に、貼り付けたスペーサー３０の挿入部３１を枠体３の隅３ｘ近傍の溝１３に挿入する。そして、スペーサー３０の取付部３２を枠体３の内側面１５に両面テープ等で接着させて透光シート５を枠体３に仮固定する。
【００２７】
透光シート５の仮固定の後、枠体３の隅３ｘのスペーサー３０，３０間に順次パッキン２０を押し込む。ここで、パッキン２０は柔軟性を有するので、図７（ｂ）に示すように、パッキン２０を湾曲させながら当接部２２を内側面１５に押し当てて、押込部２１を溝１３に押し込んでいく。これにより、パッキン２０の先端部２３は溝１３の下面１３ａと嵌合すると共に、パッキン２０を押し込みながら透光シート５に横方向のテンションが付与され、皺が生じることなく透光シート５が枠体３に固定される。
【００２８】
最後に、本発明の他の実施形態の可能性について言及する。なお、上述の実施形態と同様の部材には同一の符号を附してある。
透光シート５は、適度な透光性を備え、枠体３に張設可能な柔軟性、耐屈曲性を備えるものであればよく、上記実施形態に限られるものではない。例えば、網状に形成したシートであってもよい。また、拡散シート４も同様に適度な透光性及び耐屈曲性を備えた光拡散性を有するものであればよく、上記実施形態に限られるものではない。さらに耐熱性、不燃性、防汚性を備えていることが望ましい。
【００２９】
上記実施形態において、枠体３を略矩形に形成したが、形状は矩形に限られるものではない。また、照明装置１をマトリックス状に配置して天井を構成したが、照明装置の配置は適宜変更可能である。
【００３０】
上記実施形態において、パッキン２０の先端部２３を円筒形状に形成すると共に、溝下面１３ａの凹部１３ｂを略Ｖ字状に形成した。しかし、先端部２３及び凹部１３ｂの形状は、先端部２３及び凹部１３ｂが互いに嵌合する形状及び構造であれば足り、上記実施形態に限定されるものではない。
【産業上の利用可能性】
【００３１】
本発明は、さまざまな照明パターンを有する天井照明ユニットとして利用することができる。例えば、ギャラリー等の展示会場等の照明や、ショウルームの演出等に利用することができる。
【符号の説明】
【００３２】
１：照明装置、２：照明用光源、３：枠体、３ｘ：隅、４：拡散シート、５：透光シート、５ａ：端、５ｘ：角部、１１：傾斜面、１１ａ：下端部、１１ｂ：上端部、１２：外側面、１３：溝、１３ａ：下面、１３ｂ：凹部、１３ｃ：上面、１４：固定部、１５：内側面、１６：取付溝、２０：パッキン、２１：押込部、２２：当接部、２３：先端部、３０：スペーサー、３１：挿入部、３２：取付部、１００：天井、１０１：天井フレーム、１０２：グリッドフレーム、１０３：取付金具、１０４：吊り金具、１０５：フリクションアーム（開閉手段）、１１０：固定手段、Ｌ０：基準線、Ｌ１，Ｌ２：光経路、Ｓ：影
【図１】
2011054493.tif 000003
【図２】
2011054493.tif 000004
【図３】
2011054493.tif 000005
【図４】
2011054493.tif 000006
【図５】
2011054493.tif 000007
【図６】
2011054493.tif 000008
【図７】
2011054493.tif 000009